(57)【要約】【課題】湾曲された場合においても視野角を容易に広げることができる光制御シート、透過型スクリーン及び背面投射型表示装置を提供する。【解決手段】光制御シート３２は、光透過部３２２と第１吸収部３２３ａ及び第２吸収部３２３ｂを有する光吸収部３２３とを備え、第１吸収部３２３ａ、第２吸収部３２３ｂはこれらの高さをｈ１、ｈ２とし、傾斜辺ｄ、傾斜辺ｅと厚み方向に平行な直線との角度をθ１、θ２とし、第２吸収部３２３ｂの入光側の辺の長さをｂ０とし、光吸収部３２３、光透過部３２２の屈折率をｎａ、ｎｔとし、傾斜辺の臨界角度をθｃとし、Ｓ＝ｂ０＋ｈ１ｔａｎθ１＋ｈ２ｔａｎθ２とし、Ｐ１＝ｈ１ｔａｎ（θ１＋９０−θｃ）＋ｈ２ｔａｎθ２＋Ｓとし、Ｐ２＝（ｈ１＋ｈ２）ｔａｎ（２θ２＋９０−θ１−θｃ）＋Ｓとし、Ｐ１、Ｐ２の最大値をＰｍとしたときに、１．０＜Ｐ／Ｐｍ≦１．１とＷ１／Ｗ２≧０．８３とを満たすことを特徴とする。【選択図】図５
2016038432.tif 000002
【特許請求の範囲】
【請求項１】
光を透過する光透過部と、光を吸収する光吸収部とを備える光制御シートにおいて、
前記光透過部及び前記光吸収部は、この光制御シートの厚み方向に平行な断面において、光の出光側の面に沿って交互に配置されており、
前記光吸収部は、第１吸収部及び第２吸収部を有し、
前記第１吸収部は、前記断面における断面形状が、光の入光側から出光側に向けて幅が広くなる等脚台形状に形成されており、
前記第２吸収部は、前記断面における断面形状が、光の入光側から出光側に向けて幅が広くなる等脚台形状に形成されており、その等脚台形状の出光側の辺が、前記第１吸収部の等脚台形状の入光側の辺と同じ長さに形成され、これらの辺が互いに重なるように配置されており、
前記第１吸収部の等脚台形状の高さをｈ１とし、
前記第１吸収部の等脚台形状の出光側の辺及び入光側の辺間に形成される傾斜辺と厚み方向に平行な直線とのなす角度をθ１［°］とし、
前記第２吸収部の等脚台形状の高さをｈ２とし、
前記第２吸収部の等脚台形状の出光側の辺及び入光側の辺間に形成される傾斜辺と厚み方向に平行な直線とのなす角度をθ２［°］とし、
前記第２吸収部の等脚台形状の入光側の辺の長さをｂ０とし、
前記第１吸収部及び前記第２吸収部の屈折率をｎａとし、
前記光透過部の屈折率をｎｔとし、
θｃ＝ａｒｃｓｉｎ（ｎａ／ｎｔ）［°］とし、
θｔ＝９０−θ１−θｃ［°］とし、
Ｗ１＝ｈ１・ｔａｎ（２θ１＋θｔ）＋ｈ２・ｔａｎθ２とし、
Ｗ２＝（ｈ１＋ｈ２）・ｔａｎ（２θ２＋θｔ）とし、
Ｓ＝ｂ０＋ｈ１・ｔａｎθ１＋ｈ２・ｔａｎθ２とし、
Ｐ１＝Ｗ１＋Ｓとし、
Ｐ２＝Ｗ２＋Ｓとし、
Ｐ１及びＰ２のうち最大値をＰｍａｘとしたときに、
１．０＜Ｐ／Ｐｍａｘ≦１．１と、
Ｗ１／Ｗ２≧０．８３とを満たすこと、
を特徴とする光制御シート。
【請求項２】
光を透過する光透過部と、光を吸収する光吸収部とを備える光制御シートにおいて、
前記光透過部及び前記光吸収部は、この光制御シートの厚み方向に平行な断面において、光の出光側の面に沿って交互に配置されており、
前記光吸収部は、第１吸収部、第２吸収部、及び、第３吸収部を有し、
前記第１吸収部は、前記断面における断面形状が、光の入光側から出光側に向けて幅が広くなる等脚台形状に形成されており、
前記第２吸収部は、前記断面における断面形状が、光の入光側から出光側に向けて幅が広くなる等脚台形状に形成されており、その等脚台形状の出光側の辺が、前記第１吸収部の等脚台形状の入光側の辺と同じ長さに形成され、これらの辺が互いに重なるように配置されており、
前記第３吸収部は、前記断面における断面形状が、光の入光側から出光側に向けて幅が広くなる等脚台形状に形成されており、その等脚台形状の出光側の辺が、前記第２吸収部の等脚台形状の入光側の辺と同じ長さに形成され、これらの辺が互いに重なるように配置されており、
前記第１吸収部の等脚台形状の高さをｈ１とし、
前記第１吸収部の等脚台形状の出光側の辺及び入光側の辺間に形成される傾斜辺と厚み方向に平行な直線とのなす角度をθ１［°］とし、
前記第２吸収部の等脚台形状の高さをｈ２とし、
前記第２吸収部の等脚台形状の出光側の辺及び入光側の辺間に形成される傾斜辺と厚み方向に平行な直線とのなす角度をθ２［°］とし、
前記第３吸収部の等脚台形状の高さをｈ３とし、
前記第３吸収部の等脚台形状の出光側の辺及び入光側の辺間に形成される傾斜辺と厚み方向に平行な直線とのなす角度をθ３［°］とし、
前記第３吸収部の等脚台形状の入光側の辺の長さをｂ０とし、
前記第１吸収部、前記第２吸収部、及び、前記第３吸収部の屈折率をｎａとし、
前記光透過部の屈折率をｎｔとし、
θｃ＝ａｒｃｓｉｎ（ｎａ／ｎｔ）［°］とし、
θｔ＝９０−θ１−θｃ［°］とし、
Ｗ１＝ｈ１・ｔａｎ（２θ１＋θｔ）＋ｈ２・ｔａｎθ２＋ｈ３・ｔａｎθ３とし、
Ｗ２＝（ｈ１＋ｈ２）・ｔａｎ（２θ２＋θｔ）＋ｈ３・ｔａｎθ３とし、
Ｗ３＝（ｈ１＋ｈ２＋ｈ３）・ｔａｎ（２θ３＋θｔ）とし、
Ｓ＝ｂ０＋ｈ１・ｔａｎθ１＋ｈ２・ｔａｎθ２＋ｈ３・ｔａｎθ３とし、
Ｐ１＝Ｗ１＋Ｓとし、
Ｐ２＝Ｗ２＋Ｓとし、
Ｐ３＝Ｗ３＋Ｓとし、
Ｐ１、Ｐ２及びＰ３のうち最大値をＰｍａｘとしたときに、
１．０＜Ｐ／Ｐｍａｘ≦１．１と、
Ｗ１／Ｗ２≧０．８３と、
Ｗ１／Ｗ３≧０．８３とを満たすこと、
を特徴とする光制御シート。
【請求項３】
光を透過する光透過部と、光を吸収する光吸収部とを備える光制御シートにおいて、
前記光透過部及び前記光吸収部は、この光制御シートの厚み方向に平行な断面において、光の出光側の面に沿って交互に配置されており、
前記光吸収部は、前記断面における断面形状が、光の入光側から出光側に向けて幅が広くなる等脚台形状に形成されており、
前記光吸収部の等脚台形状の高さをｈ１とし、
前記光吸収部の等脚台形状の入光側の辺の長さをｂ０とし、
前記光吸収部の等脚台形状の入光側の辺及び出光側の辺間に形成される傾斜辺と厚み方向に平行な直線とのなす角度をθ１［°］とし、
前記光吸収部の屈折率をｎａとし、
前記光透過部の屈折率をｎｔとし、
θｃ＝ａｒｃｓｉｎ（ｎａ／ｎｔ）［°］とし、
θｔ＝９０−θ１−θｃ［°］とし、
Ｗ１＝ｈ１・ｔａｎ（２θ１＋θｔ）とし、
Ｓ＝ｂ０＋ｈ１・ｔａｎθ１とし、
Ｐ１＝Ｗ１＋Ｓとしたときに、
１．０＜Ｐ／Ｐ１≦１．１を満たすこと、
を特徴とする光制御シート。
【請求項４】
請求項１から請求項３までのいずれか１項に記載の光制御シートにおいて、
シート面が曲面をなすような湾曲形状に形成されていること、
を特徴とする光制御シート。
【請求項５】
一方の面側から投射された映像光を他方の面側に透過して映像を表示する透過型スクリーンであって、
請求項１から請求項４までのいずれか１項に記載の光制御シートと、
前記光制御シートの出光側に設けられ、光を拡散する作用を有する光拡散層と、
を備える透過型スクリーン。
【請求項６】
請求項５に記載の透過型スクリーンと、
映像光を投射する光源部と、
を備える背面投射型表示装置。
【発明の詳細な説明】
【技術分野】
【０００１】
本発明は、光制御シート、透過型スクリーン、及び、これを備える背面投射型表示装置に関するものである。
【背景技術】
【０００２】
従来、映像光をスクリーンの背面側から投射して表示する背面投射型表示装置では、投射された映像光を透過して表示するための透過型スクリーンが広く用いられている。このような透過型スクリーンは、所望する光学特性に合わせて、様々な構成を有するものが提案されている（例えば、特許文献１参照）。
また、近年、透過型スクリーンを備える背面投射型表示装置に関して、その用途によっては、背面投射型表示装置の外形と透過型スクリーンの表面形状との一体感が要求される等、その意匠性が高く要求される場合がある。このような場合には、意匠面におけるシステム全体との調和も必要であり、当然ながら、表示装置としての映像の良好さも要求される。
【先行技術文献】
【特許文献】
【０００３】
【特許文献１】特開２００８−２８１９１０号公報
【発明の概要】
【発明が解決しようとする課題】
【０００４】
このような背面投射型表示装置に使用される透過型スクリーンの中には、光を透過する光透過層と、光を吸収する光吸収層とが出光側の面に交互に形成された光制御シートが設けられているものがある。この光制御シートは、透過型スクリーンの観察者側の面から入射した外光や、スクリーン内で発生する迷光等を吸収することができ、映像のコントラストを向上させている。また、光透過部の屈折率を光吸収部の屈折率よりも大きくしている場合があり、その場合、光吸収部と光透過部との界面において臨界角以上の角度で入射する映像光を、全反射させて、観察者側へ出光させ、映像の視野角を広げている。
しかし、このような光制御シートは、湾曲させて使用した場合に、映像光の入射角度にばらつきが生じてしまうため、映像光の入射角度が、光吸収部の臨界角度の近傍であると虹ムラが発生してしまい、また、入射角度が臨界角度よりも大きいと明暗ムラが発生してしまう要因となっていた。そのため、このような虹ムラ、明暗ムラを抑制するために、光吸収部は、光透過部との界面の傾斜角度を小さくして使用する必要があり、光制御シートによって視野角を広げるのが困難となっていた。
【０００５】
本発明の課題は、湾曲された場合においても視野角を容易に広げることができる光制御シート、透過型スクリーン及びこれを備える背面投射型表示装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、光を透過する光透過部（３２２）と、光を吸収する光吸収部（３２３）とを備える光制御シート（３２）において、前記光透過部及び前記光吸収部は、この光制御シートの厚み方向に平行な断面において、光の出光側の面に沿って交互に配置されており、前記光吸収部は、第１吸収部（３２３ａ）及び第２吸収部（３２３ｂ）を有し、前記第１吸収部は、前記断面における断面形状が、光の入光側から出光側に向けて幅が広くなる等脚台形状に形成されており、前記第２吸収部は、前記断面における断面形状が、光の入光側から出光側に向けて幅が広くなる等脚台形状に形成されており、その等脚台形状の出光側の辺が、前記第１吸収部の等脚台形状の入光側の辺と同じ長さに形成され、これらの辺が互いに重なるように配置されており、前記第１吸収部の等脚台形状の高さをｈ１とし、前記第１吸収部の等脚台形状の出光側の辺及び入光側の辺間に形成される傾斜辺（ｄ）と厚み方向に平行な直線とのなす角度をθ１［°］とし、前記第２吸収部の等脚台形状の高さをｈ２とし、前記第２吸収部の等脚台形状の出光側の辺及び入光側の辺間に形成される傾斜辺（ｅ）と厚み方向に平行な直線とのなす角度をθ２［°］とし、前記第２吸収部の等脚台形状の入光側の辺の長さをｂ０とし、前記第１吸収部及び前記第２吸収部の屈折率をｎａとし、前記光透過部の屈折率をｎｔとし、θｃ＝ａｒｃｓｉｎ（ｎａ／ｎｔ）［°］とし、  θｔ＝９０−θ１−θｃ［°］とし、Ｗ１＝ｈ１・ｔａｎ（２θ１＋θｔ）＋ｈ２・ｔａｎθ２とし、Ｗ２＝（ｈ１＋ｈ２）・ｔａｎ（２θ２＋θｔ）とし、Ｓ＝ｂ０＋ｈ１・ｔａｎθ１＋ｈ２・ｔａｎθ２とし、Ｐ１＝Ｗ１＋Ｓとし、Ｐ２＝Ｗ２＋Ｓとし、Ｐ１及びＰ２のうち最大値をＰｍａｘとしたときに、１．０＜Ｐ／Ｐｍａｘ≦１．１と、Ｗ１／Ｗ２≧０．８３とを満たすこと、を特徴とする光制御シートである。
請求項２の発明は、光を透過する光透過部（３２２）と、光を吸収する光吸収部（３２３）とを備える光制御シート（３２）において、前記光透過部及び前記光吸収部は、この光制御シートの厚み方向に平行な断面において、光の出光側の面に沿って交互に配置されており、前記光吸収部は、第１吸収部（３２３ａ）、第２吸収部（３２３ｂ）、及び、第３吸収部（３２３ｃ）を有し、前記第１吸収部は、前記断面における断面形状が、光の入光側から出光側に向けて幅が広くなる等脚台形状に形成されており、前記第２吸収部は、前記断面における断面形状が、光の入光側から出光側に向けて幅が広くなる等脚台形状に形成されており、その等脚台形状の出光側の辺が、前記第１吸収部の等脚台形状の入光側の辺と同じ長さに形成され、これらの辺が互いに重なるように配置されており、前記第３吸収部は、前記断面における断面形状が、光の入光側から出光側に向けて幅が広くなる等脚台形状に形成されており、その等脚台形状の出光側の辺が、前記第２吸収部の等脚台形状の入光側の辺と同じ長さに形成され、これらの辺が互いに重なるように配置されており、前記第１吸収部の等脚台形状の高さをｈ１とし、前記第１吸収部の等脚台形状の出光側の辺及び入光側の辺間に形成される傾斜辺（ｄ）と厚み方向に平行な直線とのなす角度をθ１［°］とし、前記第２吸収部の等脚台形状の高さをｈ２とし、前記第２吸収部の等脚台形状の出光側の辺及び入光側の辺間に形成される傾斜辺（ｅ）と厚み方向に平行な直線とのなす角度をθ２［°］とし、前記第３吸収部の等脚台形状の高さをｈ３とし、前記第３吸収部の等脚台形状の出光側の辺及び入光側の辺間に形成される傾斜辺（ｆ）と厚み方向に平行な直線とのなす角度をθ３［°］とし、前記第３吸収部の等脚台形状の入光側の辺の長さをｂ０とし、前記第１吸収部、前記第２吸収部、及び、前記第３吸収部の屈折率をｎａとし、前記光透過部の屈折率をｎｔとし、θｃ＝ａｒｃｓｉｎ（ｎａ／ｎｔ）［°］とし、θｔ＝９０−θ１−θｃ［°］とし、Ｗ１＝ｈ１・ｔａｎ（２θ１＋θｔ）＋ｈ２・ｔａｎθ２＋ｈ３・ｔａｎθ３とし、Ｗ２＝（ｈ１＋ｈ２）・ｔａｎ（２θ２＋θｔ）＋ｈ３ｔａｎθ３とし、Ｗ３＝（ｈ１＋ｈ２＋ｈ３）・ｔａｎ（２θ３＋θｔ）とし、Ｓ＝ｂ０＋ｈ１・ｔａｎθ１＋ｈ２・ｔａｎθ２＋ｈ３・ｔａｎθ３とし、Ｐ１＝Ｗ１＋Ｓとし、Ｐ２＝Ｗ２＋Ｓとし、Ｐ３＝Ｗ３＋Ｓとし、Ｐ１、Ｐ２及びＰ３のうち最大値をＰｍａｘとしたときに、１．０＜Ｐ／Ｐｍａｘ≦１．１と、Ｗ１／Ｗ２≧０．８３と、Ｗ１／Ｗ３≧０．８３とを満たすこと、を特徴とする光制御シートである。
請求項３の発明は、光を透過する光透過部（３２２）と、光を吸収する光吸収部（３２３）とを備える光制御シート（３２）において、前記光透過部及び前記光吸収部は、この光制御シートの厚み方向に平行な断面において、光の出光側の面に沿って交互に配置されており、前記光吸収部は、前記断面における断面形状が、光の入光側から出光側に向けて幅が広くなる等脚台形状に形成されており、前記光吸収部の等脚台形状の高さをｈ１とし、前記光吸収部の等脚台形状の入光側の辺の長さをｂ０とし、前記光吸収部の等脚台形状の入光側の辺及び出光側の辺間に形成される傾斜辺（ｄ）と厚み方向に平行な直線とのなす角度をθ１［°］とし、前記光吸収部の屈折率をｎａとし、前記光透過部の屈折率をｎｔとし、θｃ＝ａｒｃｓｉｎ（ｎａ／ｎｔ）［°］とし、θｔ＝９０−θ１−θｃ［°］とし、Ｗ１＝ｈ１・ｔａｎ（２θ１＋θｔ）とし、Ｓ＝ｂ０＋ｈ１・ｔａｎθ１とし、Ｐ１＝Ｗ１＋Ｓとしたときに、１．０＜Ｐ／Ｐ１≦１．１を満たすこと、を特徴とする光制御シートである。
請求項４の発明は、請求項１から請求項３までのいずれか１項に記載の光制御シート（３２）において、シート面が曲面をなすような湾曲形状に形成されていること、を特徴とする光制御シートである。
請求項５の発明は、一方の面側から投射された映像光を他方の面側に透過して映像を表示する透過型スクリーン（１０）であって、請求項１から請求項４までのいずれか１項に記載の光制御シート（３２）と、前記光制御シートの出光側に設けられ、光を拡散する作用を有する光拡散層（３３）と、を備える透過型スクリーンである。
請求項６の発明は、請求項５に記載の透過型スクリーン（１０）と、映像光を投射する光源部（７０）と、を備える背面投射型表示装置（１）である。
【発明の効果】
【０００７】
本発明によれば、湾曲された場合においても視野角を容易に広げることができる光制御シート、透過型スクリーン及びこれを備える背面投射型表示装置をとすることができる。
【図面の簡単な説明】
【０００８】
【図１】第１実施形態の背面投射型表示装置を説明する図である。
【図２】第１実施形態の透過型スクリーンの斜視図である。
【図３】第１実施形態の透過型スクリーンの層構成を説明する図である。
【図４】第１実施形態のフレネルレンズ層を説明する図である。
【図５】第１実施形態の光制御シートを説明する図である。
【図６】第２実施形態の光制御シートを説明する図である。
【図７】第３実施形態の光制御シートを説明する図である。
【発明を実施するための形態】
【０００９】
以下、図面等を参照して、本発明の実施形態について説明する。なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、特許請求の範囲の記載は、シートという記載で統一して使用した。従って、シート、板、フィルムの文言は、適宜置き換えることができるものとする。
さらに、本明細書中に記載する各部材の寸法等の数値及び材料名等は、実施形態としての一例であり、これに限定されるものではなく、適宜選択して使用してよい。
【００１０】
（第１実施形態）
図１は、本実施形態の背面投射型表示装置１を説明する図である。図１では、背面投射型表示装置１の奥行き方向に平行かつ鉛直方向に平行な断面を模式的に示している。
背面投射型表示装置１は、図１に示すように、透過型スクリーン１０と、光源部７０と、筐体８０とを備えている。この背面投射型表示装置１は、光源部７０から投射された映像光Ｌを、透過型スクリーン１０の背面側へ投射し、透過型スクリーン１０に映像を表示する。
なお、この背面投射型表示装置は、筐体内にミラーを設け、光源部７０から投射された映像光Ｌを、ミラーで反射させて透過型スクリーンの背面側へ投射するようにしてもよい。
【００１１】
本実施形態の背面投射型表示装置１は、太陽光や照明光等といった外光の影響が大きい環境で使用されるものであり、例えば、自動車の内部や船舶の内部（例えば、運転席や機関室等）に配置される車載用や船舶用の背面投射型表示装置である。本実施形態では、背面投射型表示装置１は、その表示画面の画面サイズ（透過型スクリーン１０の画面サイズ）が、対角６〜３０インチ程度の小型のものを例に挙げて説明する。
なお、これに限らず、本実施形態の背面投射型表示装置１は、室内等のように、外光の影響がそれほど大きくない環境において使用することも可能であり、画面サイズも、上記のものよりも大きなものとしてもよい。
【００１２】
透過型スクリーン１０は、図１に示すように、光源側（映像光の入光側）に凸となる湾曲形状を有している。この透過型スクリーン１０の詳細に関しては、後述する。
光源部７０は、透過型スクリーン１０に対して映像光Ｌを投射する映像源である。本実施形態では、この光源部７０は、例えば、ＬＥＤ（Ｌｉｇｈｔ  Ｅｍｉｔｔｉｎｇ  Ｄｉｏｄｅ）やレーザを利用したピコプロジェクタ等の小型の光源を用いることができる。
本実施形態の光源部７０は、図１に示すように、透過型スクリーン１０の背面側の下方に配置されている。
【００１３】
筐体８０は、透過型スクリーン１０を支持し、かつ、その内部に光源部７０を配置している。この筐体８０は、遮光性を有しており、不要な照明光や太陽光等の外光が透過型スクリーン１０の背面側から入射することを防止する。また、迷光等を吸収して低減する観点から、筐体内部は黒色等の暗色系とすることが好ましい。
【００１４】
図２は、本実施形態の透過型スクリーン１０の斜視図である。図２では、理解を容易にするために、透過型スクリーン１０のみを簡略化して示している。
図２に示すように、透過型スクリーン１０は、その全体を見た場合、スクリーン面が三次元曲面をなすような湾曲形状に形成されている。なお、透過型スクリーン１０は、スクリーン面が二次元曲面をなすような湾曲形状を有していてもよい。
【００１５】
ここで、スクリーン面とは、この透過型スクリーン１０全体として見たときにおける、透過型スクリーン１０の画面（表示面）となる面方向である。また、「二次元曲面」とは、単一の軸を中心として二次元的に湾曲しているもの、或いは、互いに平行な複数の軸を中心として異なる曲率で二次元的に湾曲しているものを意味するものとし、「三次元曲面」とは、互いに対して角度をなす複数の軸をそれぞれ中心として、部分的に又は全体的に湾曲しているものを意味するものとする。
【００１６】
本実施形態の透過型スクリーン１０は、図２に示すように、正面方向から見た場合の対角線の一方と平行で透過型スクリーン１０の観察者側（出光側）に位置する第１の軸Ａ１を中心とした方向Ｂ１に光源側（入光側）に凸となるように湾曲し、かつ、他方の対角線と平行で透過型スクリーン１０の観察者側に位置する第２の軸Ａ２を中心とした方向Ｂ２に光源側に凸となるように湾曲している。
そして、透過型スクリーン１０の表示面（出光面）において、その表示領域の幾何学的中心となる点Ｃ（透過型スクリーン１０の平面形状をなす矩形状の一対の対角線が交わる点）が観察者側から見て最も凹んだ形態となっている。なお、透過型スクリーン１０は、観察者側から見て最も凹んだ点が、点Ｃとは異なる点となる形態としてもよい。
【００１７】
また、透過型スクリーン１０は、観察者側の面（出光面）の観察者側から見て最も凹んだ形態となる点Ｃにおける法線方向Ｎに直交する平面（即ち、観察者側から見て最も凹んだ点Ｃでの接面）が、鉛直方向（画面上下方向）に平行となる。
このような透過型スクリーン１０において、湾曲形状の曲率半径は、その画面サイズにも依るが、２０００ｍｍ以下であることが好ましく、２５０ｍｍ以上であり１５００ｍｍ以下であることがより好ましい。
【００１８】
なお、本実施形態では、透過型スクリーン１０は、スクリーン面（表示面）が光源側（入光側）に凸（即ち、観察者側へ凹）となる湾曲形状を有する例を示したが、これに限らず、例えば、観察者側（出光側）に凸となるような湾曲形状を有していてもよい。また、観察者側に凸となる部分と光源側に凸となる部分とを組み合わせた形状としてもよい。
また、湾曲形状の軸となる第１の軸Ａ１、第２の軸Ａ２は、透過型スクリーン１０を正面方向から見た場合の画面（表示面）の矩形形状の対角線にそれぞれ平行である例を示したが、これに限られるものでない。例えば、第１の軸Ａ１、第２の軸Ａ２は、透過型スクリーン１０を正面方向から見た場合に、観察画面の幾何学的中心となる点Ｃを通り画面上下方向に平行な方向と、画面左右方向に平行な方向とをそれぞれ第１の軸、第２の軸としてもよい。
【００１９】
図３は、本実施形態の透過型スクリーン１０の層構成を説明する図である。図３（ａ）は、透過型スクリーン１０の点Ｃを通り画面上下方向及び厚み方向に平行な断面の一部を拡大して示している。図３（ｂ）は、透過型スクリーン１０の点Ｃを通り画面左右方向及び厚み方向に平行な断面の一部を拡大して示している。なお、図３（ｂ）において、フレネルレンズ層２２の単位レンズ２２ａの記載は省略している。
本実施形態の透過型スクリーン１０は、図３に示すように、その厚み方向において、光源側（入光側、背面側）に位置するフレネルレンズシート２０と、観察者側（出光側）に位置する積層体３０とを備えている。
【００２０】
フレネルレンズシート２０は、光源部７０から投射され、フレネルレンズシート２０へ入光側（背面側）から入射した光を、観察者側へ偏向させ、略正面方向Ｎへ進む光束とする機能を有する。
このフレネルレンズシート２０は、その入光側（背面側）から順に、フレネル基材層２１（基材）と、フレネルレンズ層２２（レンズ層）とを備え、これらが一体に積層されている。
本実施形態では、フレネルレンズシート２０の入光面が、透過型スクリーン１０の入光面１０ａとなる。
【００２１】
フレネル基材層２１は、最も入光側に設けられた層であり、フレネルレンズシート２０の基材となる層である。フレネル基材層２１は、光透過性を有する樹脂製のシート状の部材を用いることができる。なお、フレネル基材層２１は、厚みが均一であり、入光側の面と、出光側の面とが平行に形成されている。
フレネル基材層２１は、例えば、ポリカーネート（ＰＣ）樹脂や、ポリエチレンテレフタレート（ＰＥＴ）樹脂や、メタクリル酸メチル・ブタジエン・スチレン（ＭＢＳ）樹脂、メタクリル酸メチル・スチレン（ＭＳ）樹脂、アクリロニトリル・ブタジエン・スチレン（ＡＢＳ）樹脂等により形成されたシート状の部材を用いることができる。
【００２２】
またフレネル基材層２１の厚みは、透過型スクリーン１０の画面サイズにもよるが、１．０〜４．０ｍｍとすることが好ましい。フレネル基材層２１の厚みが、１．０ｍｍ未満の場合には、剛性が不十分であり、４．０ｍｍを超える場合には、フレネルレンズシート２０から出射する映像光とフレネルレンズシート２０内で発生する迷光とのずれが大きくなり、２重像が生じやすくなる。従って、上記範囲とすることが好ましい。
このフレネル基材層２１は、光を拡散する拡散材を含有していてもよいし、拡散材を含有しない層と拡散材を含有する層を共押し出し成形した形態としてもよい。
【００２３】
フレネルレンズ層２２は、フレネル基材層２１の出光側（観察者側）に形成され、その出光側の面に単位レンズ２２ａが複数配列されて形成されたフレネルレンズ形状が形成されている。フレネルレンズ層２２は、フレネルレンズシート２０に入射した映像光を、略正面方向（点Ｃにおける接面の法線方向Ｎ）へ偏向して出光側へ向かわせる機能を有している。
図４は、本実施形態のフレネルレンズ層２２を説明する図である。図４（ａ）は、図３（ａ）に示すフレネルレンズシートの断面をさらに拡大して示している。図４（ｂ）は、フレネルレンズ層２２を観察者側の正面方向（法線方向Ｎ）から見た図である。
なお、理解を容易にするために、図４では、フレネルレンズ層２２を略平板状として示している。
【００２４】
単位レンズ２２ａは、図４（ａ）に示すように、出光側に凸であり、その断面形状が、略三角形形状であり、レンズ面２２ｂと非レンズ面２２ｃとを有している。
本実施形態のフレネルレンズ層２２は、その出光側の面に屈折型のフレネルレンズ形状を有している。ここでは、フレネルレンズ層２２は、図４（ｂ）に示すように、単位レンズ２２ａが点Ｆを中心として同心円状に配列されたサーキュラーフレネルレンズ形状を有する例を挙げて説明するが、これに限らず、リニアフレネルレンズ形状を有していてもよい。
【００２５】
本実施形態の単位レンズ２２ａが配列される同心円の中心（即ち、サーキュラーフレネルレンズ形状の光学的な中心、以下、光学的中心という）となる点Ｆは、図４（ｂ）に示すように、フレネルレンズシート２０の正面方向（透過型スクリーン１０の点Ｃにおける接面の法線方向Ｎ）から見た場合に、正面方向から見て点Ｃに対応する出光面側の点Ｃ２（フレネルレンズシート２０の幾何学的中心）を通る画面上下方向に平行な直線上であって、フレネルレンズシート２０の下方に位置している。
なお、これに限らず、点Ｆは、点Ｃ２を通る画面上下方向に平行な直線上であってフレネルレンズシート２０上に位置していてもよいし、また、フレネルレンズシート２０の幾何学的な中心Ｃ２上に位置していてもよく、要求される性能に応じて適宜設定することができる。
【００２６】
フレネルレンズ層２２は、ウレタンアクリレートやエポキシアクリレート等の紫外線硬化型樹脂を用いてフレネル基材層２１に一体に形成されている。なお、これに限らず、フレネルレンズ層２２は、電子線硬化型樹脂等の他の電離放射線硬化型樹脂を用いて形成してもよい。また、リニアフレネルレンズ形状を有する場合には、フレネルレンズ層２２及びフレネル基材層２１を一体として、熱可塑性樹脂を押し出し成形する等して作製してもよい。
【００２７】
図３に戻って、積層体３０の層構成について説明する。
積層体３０は、映像光の入光側から順に、光制御シート３２、接合層３６、光拡散層３３、着色層３４、接合層３６、基板層３１、出光側機能層３５を備えている。
以下、積層体３０の各層について説明する。
基板層３１は、透過型スクリーン１０の剛性を高める機能を有する層である。この基板層としては、光透過性を有する樹脂製等の板状の部材を用いることができる。
本実施形態の基板層３１は、出光側機能層３５及び着色層３４の間に配置される。
この基板層３１は、アクリル樹脂、スチレン樹脂、ポリエステル樹脂、ＰＣ樹脂、アクロニトリル・スチレン（ＡＳ）樹脂等を押し出し成形する等により形成された板状の部材を用いることができる。また、この基板層３１の厚さは、約１．５〜５．０ｍｍとすることが、スクリーンとしての十分な剛性の確保や、曲面加工の容易性等の観点から好ましい。
【００２８】
図５は、本実施形態の光制御シート３２を説明する図である。図５（ａ）は、光制御シート３２の断面の一部（透過型スクリーン１０の画面左右方向に平行であって厚み方向に平行な断面の一部）を拡大して示している。図５（ｂ）は、光制御シート３２を観察者側（出光側）の正面方向から見た一部を拡大して示している。なお、図５では、理解を容易にするために、光制御シート３２は、平板状として示している。
光制御シート３２は、基材部３２１と、光透過部３２２と、光吸収部３２３とを備えている。この光制御シート３２は、図３（ｂ）に示すように、接合層３６を介して光拡散層３３の光源側（入光側）に接合されている。
【００２９】
基材部３２１は、光制御シート３２のベース（基材）となる層である。
基材部３２１は、例えば、ＰＣ樹脂や、ＰＥＴ樹脂、ＴＡＣ（トリアセチルセルロース）樹脂、ＡＢＳ樹脂、ＭＢＳ樹脂、ＭＳ樹脂等により形成された、厚さが７５〜２００μｍのシート状の部材を用いることができる。
【００３０】
光透過部３２２は、基材部３２１の出光側（観察者側）の面に形成されている。
光透過部３２２は、図３（ｂ）に示すように、出光側に凸となる柱状であり、その柱部が画面上下方向に延在し、基材部３２１の出光側の面に沿って画面左右方向に複数配列されている。
【００３１】
この光透過部３２２は、光透過性を有する樹脂で形成されている。本実施形態の光透過部３２２は、ウレタンアクリレート等の紫外線硬化型樹脂を用いて紫外線成形法により形成されているが、これに限らず、電子線硬化型樹脂等の他の電離放射線硬化型樹脂により形成してもよい。
また、光透過部３２２は、ＰＥＴ樹脂等の熱可塑性樹脂等を用いて熱溶融押出成形法により形成されてもよく、光透過部３２２が十分な厚みや剛性等を有するならば、前述の基材部３２１を設けない形態としてもよい。
【００３２】
光吸収部３２３は、図５（ａ）に示すように、隣り合う光透過部３２２の柱部間の谷部に形成され、光を吸収する作用を有する部分である。
この光吸収部３２３は、図５（ｂ）に示すように、画面上下方向に延在し、光制御シート３２の出光側の面に沿って光透過部３２２の柱部と画面左右方向に交互に配置される形態となっている。また、光透過部３２２の出光側の面と光吸収部３２３の出光側の面とで光制御シート３２の出光側の面が形成されている。
【００３３】
本実施形態の光吸収部３２３は、黒色ビーズ等の光吸収材を含有した光透過性を有する樹脂を、光透過部３２２の柱部間の谷部にワイピング（スキージング）して充填し、硬化させる等して形成されている。
光吸収部３２３に用いられる光透過性を有する樹脂としては、ウレタンアクリレート、エポキシアクリレート等の紫外線硬化型樹脂や電子線硬化型樹脂等の電離放射線硬化型樹脂が挙げられる。
光吸収部３２３に用いられる光吸収材は、可視光領域の光を吸収する機能を有する粒子状等の部材であり、例えば、カーボンブラック、グラファイト、黒色酸化鉄等の金属塩、顔料や染料、顔料や染料で着色された樹脂粒子等である。顔料や染料で着色された樹脂粒子を用いる場合には、その樹脂粒子は、アクリル系樹脂や、ＰＣ樹脂、ＰＥ（ポリエチレン）樹脂、ＰＳ（ポリスチレン）樹脂、ＭＢＳ樹脂、ＭＳ樹脂等により形成されたものを用いることができる。
この光吸収部３２３は、映像光の光線制御の観点から、屈折率が、光透過部３２２の屈折率よりも小さくなるように形成される。
【００３４】
この光制御シート３２は、光吸収部３２３により、観察者側から入射した外光Ｇを吸収することができ、映像のコントラストを向上させることができる。また、光吸収部３２３は、スクリーン内で発生した迷光等も吸収することができる。
さらに、光透過部３２２の屈折率が光吸収部３２３の屈折率よりも大きいので、光透過部３２２と光吸収部３２３との界面に臨界角以上の角度で入射する映像光Ｌは、その界面で全反射して出光側へ向かい、視野角を広げることができる。
【００３５】
ここで、上述したように透過型スクリーンを湾曲させた場合、光制御シートやフレネルレンズシートも湾曲することとなるため、フレネルレンズシートを透過した映像光の光制御シートへの入射角度にばらつきが生じてしまい、その入射角度が、光吸収部３２３の臨界角度の近傍であると虹ムラが発生してしまい、また、入射角度が臨界角度よりも大きいと明暗ムラが発生してしまう要因となる。そのため、従来はこのような虹ムラ、明暗ムラを抑制するために、光吸収部は、光透過部との界面の斜面角度が小さくなるように形成する必要があり、光制御シートによってスクリーンの視野角を広げるのが困難となっていた。
【００３６】
そこで、本実施形態の光制御シート３２は、光吸収部３２３における光の臨界角度に合わせて光吸収部３２３の配列ピッチ（Ｐ）を狭めるとともに、光吸収部３２３の光が入射する傾斜面（ｄ、ｅ）を増やし、各傾斜面から全反射し光制御シート３２の出光側の面から出光する光の画面左右方向の幅が同一になるように光吸収部３２３の高さ（ｈ１、ｈ２）を設定することによって、上述の虹ムラや明暗ムラが生じてしまうのを抑制するとともに、透過型スクリーン１０の画面左右方向への視野角を広くする。以下に、光制御シート３２の詳細を説明する。
【００３７】
光吸収部３２３は、図５（ａ）に示すように、第１吸収部３２３ａ及び第２吸収部３２３ｂから構成されており、出光側から順に第１吸収部３２３ａ、第２吸収部３２３ｂが積層されている。この第１吸収部３２３ａ及び第２吸収部３２３ｂは、光吸収部３２３の配列方向（画面左右方向）に平行であって透過型スクリーン１０の厚み方向に平行な断面における断面形状が、それぞれ、出光側（観察者側）の辺を下底、入光側（光源側）の辺を上底とし、光の入光側から出光側に向けて幅が広くなる等脚台形状に形成されている。また、第１吸収部３２３ａ及び第２吸収部３２３ｂは、第２吸収部３２３ｂの出光側の辺が、第１吸収部３２３ａの入光側の辺と同じ長さに形成され、これらの辺が互いに完全に重なるよう配置されている。
光透過部３２２は、出光側に凸となる柱状の各柱部間の形状が、上述の光吸収部３２３の２段積層させた第１吸収部３２３ａ及び第２吸収部３２３ｂの形状に対応する形状に形成されている。
【００３８】
ここで、図５（ａ）に示す断面において、第１吸収部３２３ａの等脚台形状の高さ（厚み方向の寸法）をｈ１とし、
第１吸収部３２３ａの等脚台形状の出光側の辺及び入光側の辺間に形成される傾斜辺ｄと厚み方向に平行な直線とのなす角度をθ１［°］とし、
第２吸収部３２３ｂの等脚台形状の高さ（厚み方向の寸法）をｈ２とし、
第２吸収部３２３ｂの等脚台形状の出光側の辺及び入光側の辺間に形成される傾斜辺ｅと厚み方向に平行な直線とのなす角度をθ２［°］とし、
第２吸収部３２３ｂの等脚台形状の入光側の辺（上辺）の長さをｂ０とし、
第１吸収部３２３ａ及び前記第２吸収部３２３ｂの屈折率をｎａとし、
光透過部３２２の屈折率をｎｔとし、
光吸収部３２３の臨界角度をθｃ［°］とし、
光制御シート３２に入射する光のうち、第１吸収部３２３ａにおいて全反射する光の最大角度をθｔ［°］とし、
第１吸収部３２３ａにおいて全反射した光のうち、光透過部３２２の光吸収部３２３から最も離れた位置から出光する光の位置ａ（第１吸収部３２３ａと第２吸収部３２３ｂとの境界部近傍の第１吸収部３２３ａ側で全反射した光の光透過部３２２から出光する位置）と、第２吸収部３２３ｂの入光側の角部のうち、光が通過する側の角部ｃとの配列方向における距離をＷ１とし、
第２吸収部３２３ｂにおいて全反射した光のうち、光透過部３２２の光吸収部３２３から最も離れた位置から出光する光の位置ｂ（第２吸収部３２３ｂの前記角部ｃ近傍の傾斜辺ｅ側で全反射した光の光透過部３２２から出光する位置）と、第２吸収部３２３ｂの入光側の角部のうち、光が通過する側の角部ｃとの配列方向における距離をＷ２とし、
光吸収部３２３の配列方向における第１吸収部３２３ａ及び第２吸収部３２３ｂの片側の傾斜辺ｄ及び傾斜辺ｅの幅寸法と、第２吸収部３２３ｂの入光側の辺（上辺）の長さｂ０との和をＳとし、
光吸収部３２３の配列方向における配列ピッチをＰとし、
Ｐ１＝Ｗ１＋Ｓとし、Ｐ２＝Ｗ２＋Ｓとし、Ｐ１及びＰ２のうち最大値をＰｍａｘとしたときに、
以下の式（１）及び式（２）を満たす必要がある。
【００３９】
式（１）    １．０＜Ｐ／Ｐｍａｘ≦１．１、
式（２）    Ｗ１／Ｗ２≧０．８３
【００４０】
なお、θｃ＝ａｒｃｓｉｎ（ｎａ／ｎｔ）であり、
θｔ＝９０−θ１−θｃであり、
Ｗ１＝ｈ１・ｔａｎ（２θ１＋θｔ）＋ｈ２・ｔａｎθ２であり、
Ｗ２＝（ｈ１＋ｈ２）・ｔａｎ（２θ２＋θｔ）であり、
Ｓ＝ｂ０＋ｈ１・ｔａｎθ１＋ｈ２・ｔａｎθ２である。
【００４１】
上述の式（１）及び式（２）を満たすことによって、光制御シート３２は、光源側から入射した光の多くを、第１吸収部３２３ａ及び第２吸収部３２３ｂによって全反射させて出光させるとともに、光吸収部３２３において全反射せずに直接観察者側に出光してしまう光の量を極力減らすことができる。これにより、透過型スクリーン１０が湾曲された場合に映像の視野角を広げることができる。
【００４２】
図３に戻り、光拡散層３３は、光を拡散する作用を有する層である。光拡散層３３は、光制御シート３２の観察者側（出光側）に接合層３６を介して接合されている。本実施形態の光拡散層３３は、光を等方的に拡散する作用を有している。
この光拡散層３３は、光透過性を有する樹脂に、光を拡散する拡散材を含有させたシート状の部材を用いることができる。
光拡散層３３の母材となる光透過性を有する樹脂としては、例えば、ＭＢＳ樹脂、アクリル樹脂、ＰＣ樹脂、ＰＥＴ樹脂等が挙げられる。
【００４３】
また、拡散材としては、プラスチックビーズ等の有機フィラーであり、特に、透明度の高いものが好ましい。このようなプラスチックビーズとしては、メラミン樹脂製、アクリル樹脂製、ＡＳ樹脂製、ＰＣ樹脂製等の粒子状等のものを適用可能である。また、シリコン系ビーズも拡散材として使用可能である。さらに、所望する拡散性能等に合わせて、これらの光拡散材を適宜選択し、所定の割合で組み合わせる等して使用可能である。このような拡散材は、例えば、その平均粒径が約１〜３０μｍのものを使用することが好ましい。
【００４４】
光拡散層３３の厚さは、０．０５〜２．０ｍｍとすることが好ましい。光拡散層３３の厚みが、０．０５ｍｍ未満となると、光拡散効果が不十分となる可能性があり、また、２．０ｍｍを超えると、透過型スクリーン１０に表示される映像がぼやけ、解像度が低下する可能性がある。従って、光拡散層３３の厚さは、上記の範囲内が好ましい。
【００４５】
着色層３４は、光拡散層３３よりも出光側（観察者側）に設けられ、所定の色及び濃度で着色されたシート状の部材である。着色層３４は、出光側の面が、接合層３６を介して基板層３１に接合されている。着色層３４は、観察者側から透過型スクリーン１０に入射する外光を吸収する機能や、透過型スクリーン１０内で発生した迷光等を吸収する機能等を有する。
着色層３４は、光吸収材や着色剤を含有した透明樹脂により形成されている。この着色層３４の母材となる透明樹脂は、ＭＢＳ樹脂や、アクリル樹脂、ＰＣ樹脂、ＰＥＴ樹脂等を用いることができる。また、着色層３４に含有される光吸収材は、カーボンブラック、グラファイト、黒色酸化鉄等の金属塩等が用いられ、着色剤としては、グレー系や黒色系等の暗色系の染料や顔料等を用いることができる。
【００４６】
着色層３４は、その厚さが、１０〜２００μｍとすることが好ましい。着色層３４の厚みが１０μｍ未満であると、外光等を吸収する作用が不十分となる可能性がある。また、着色層３４の厚みが２００μｍを超えると、映像光の透過率が低下することに加え、光源部７０の出力を高める必要が生じて消費電力が増大する可能性がある。従って、着色層３４の厚さは、上記範囲内とすることが好ましい。
【００４７】
本実施形態の着色層３４及び光拡散層３３は、共押し出し成形することにより一体に形成されており、着色層３４と光拡散層３３との間には、接合層等を有していない。しかし、これに限らず、着色層３４及び光拡散層３３を別々に成形し、不図示の接合層等を介して、この積層体３０内に積層される形態等としてもよいし、その積層体３０内での位置も適宜変更してよい。
【００４８】
出光側機能層３５は、透過型スクリーン１０の最も出光側（観察者側）に配置される層であり、本実施形態では、基板層３１の出光側に配置される。この出光側機能層３５は、ハードコート機能や、反射防止機能、帯電防止機能、紫外線吸収機能、防汚機能等の少なくとも１つの機能を有する層である。
本実施形態の出光側機能層３５は、ハードコート機能を有しており、ＪＩＳ  Ｋ５６００−５−４（１９９４）で規定される鉛筆硬度試験で「２Ｈ」以上の硬度を有している。この出光側機能層３５は、例えば、ハードコート機能を有するアクリル系の紫外線硬化型樹脂、又は、アクリル系の熱硬化型樹脂を、基板層３１の出光側の面に塗布して、硬化させることにより形成される。
【００４９】
接合層３６は、透過型スクリーン１０を構成する各層を一体に接合する層である。本実施形態の接合層３６は、光制御シート３２と光拡散層３３との間、着色層３４と基板層３１との間に設けられ、これらの層を一体に接合している。
この接合層３６は、例えば、紫外線硬化型のアクリル系樹脂や、圧力により粘着性が顕在化する感圧粘着型のアクリル系樹脂等を用いることができる。
また、接合層３６の厚さは、透過型スクリーン１０の大きさや使用環境、接合する各層の樹脂の特性、接合層として使用する樹脂の特性等に合わせて、１０〜１００μｍの範囲内で適宜選択できる。
【００５０】
この透過型スクリーン１０は、例えば、以下のように形成される。
まず、熱可塑性樹脂を押し出し成形する等により、シート状のフレネル基材層２１を作製し、所定の大きさに裁断する。そして、その枚葉状のフレネル基材層２１とフレネルレンズ形状を賦形する成形型との間に、紫外線硬化型樹脂を充填した状態で、紫外線を照射してこの紫外線硬化型樹脂を硬化させ、成形型から離型する紫外線成形法等により、フレネル基材層２１の片面にフレネルレンズ層２２が形成された略平板状のフレネルレンズシートが作製される。
次に、この略平板状のフレネルレンズシートを加熱して軟化させ、フレネル基材層２１側が凸となるように、所定の曲面形状を有した不図示の型面に押圧する等して曲面成形する。これにより、曲面形状を有するフレネルレンズシート２０が完成する。
【００５１】
一方、積層体３０は、まず、基板層３１、光制御シート３２、光拡散層３３及び着色層３４をそれぞれ個別に形成し、そのそれぞれを、接合層３６により接合することによって一体に形成される。
そして、この一体に接合された積層体を、加熱して軟化させ、光制御シート３２側が凸となるように、上述のような所定の曲面形状を有した不図示の型面に押圧する等して曲面成形し、積層体３０が形成される（図３参照）。なお、この曲面成形は、真空成形法を用いることが好ましい。
そして、この曲面成形された積層体３０を、曲面成形されたフレネルレンズシート２０の観察者側に配置することにより、透過型スクリーン１０が完成する。
【００５２】
この透過型スクリーン１０における映像光Ｌ及び外光Ｇの様子を説明する。
本実施形態の透過型スクリーン１０において、光源部７０から投射された映像光Ｌは、図３（ａ）に示すように、透過型スクリーン１０に入射する。
映像光Ｌは、まず、フレネルレンズシート２０内を透過し、フレネルレンズ層２２によって正面方向（前述の点Ｃにおける接面の法線方向Ｎ）へ偏向されて出射され、積層体３０へ入射する。
【００５３】
積層体３０に入射した映像光Ｌは、光制御シート３２に入射し、一部はそのまま正面方向へ出射し（図３（ａ）のＬ参照）、他の一部は光透過部３２２と光吸収部３２３との界面で全反射する（図５（ａ）のＬ１、Ｌ２参照）。このとき、光吸収部３２３は、光透過部３２２との界面の角度が相違する第１吸収部３２３ａ及び第２吸収部３２３ｂにより構成され、また、上述の式（１）、式（２）を満たすようにして形成されているので、光制御シート３２に入射した光を効率よく出光側に全反射させるとともに、光吸収部３２３において全反射せずに直接出光してしまう光の量を極力減らすことができる。これにより、透過型スクリーン１０が湾曲された場合においても、映像の視野角を広げることができる。また、上述のように第１吸収部３２３ａ及び第２吸収部３２３ｂによって視野角を広げられるため、光拡散層３３の拡散効率を低減することができ、光拡散層に使用する材料や構成の自由度を向上させることができる。
【００５４】
一方、観察者側から透過型スクリーン１０へ入射する太陽光等の外光Ｇ（図３（ｂ）参照）は、一部が着色層３４で吸収され、一部が光吸収部３２３で吸収される。従って、照明光等の外光によるコントラストの低下を大幅に改善することができる。
【００５５】
次に、光吸収部の形状が相違する複数種類の光制御シートが設けられた透過型スクリーンの光学特性のシミュレーションによる評価結果について説明する。
評価には、従来主に使用されてきた１段の等脚台形状に形成された光吸収部を有する光制御シートを備える参考例の透過型スクリーンと、上述の式（１）及び式（２）を満たす光制御シート３２を備える実施例（実施例１〜４）の透過型スクリーンと、上述の式（１）及び式（２）のいずれかを満たさない光制御シートを備える比較例（比較例１，２）の透過型スクリーンとを適用した。
各実施例、各比較例及び参考例の透過型スクリーンの光学特性の評価結果と、これらの透過型スクリーンに用いられた光制御シートの主な形状等の情報とを、以下の表１にまとめる。
【００５６】
ここで、各実施例及び各比較例の透過型スクリーンの光学特性の評価は、背面側から映像光が投射された場合における観察者側（出光側）の面から出射する映像光の半値角（αＨ）及びピークゲインの値を、従来使用されていた参考例の透過型スクリーンの半値角及びピークゲインと比較することによって行われる。
表１中の総合評価は、従来使用されていた参考例の透過型スクリーンの光学特性に対して、ピークゲインが同等であり、半値角が広くなっており、ＢＳ率(後述する)が大きくなっている場合に評価を◎とし、ピークゲイン及び半値角がともに同等程度であるが、ＢＳ率が大きくなっている場合に○とし、ピークゲインが低下するか、又は、半値角が狭くなっている場合に評価を×とした。
【００５７】
【表１】
2016038432.tif 000003
【００５８】
本シミュレーションに用いた各実施例、各比較例、参考例の透過型スクリーンは、それぞれ、画面上下方向に５ｍｍ、画面左右方向に５ｍｍの矩形状に形成されている。各光制御シートの光吸収部の屈折率は、１．４９、光透過部の屈折率は、１．５６である。
本シミュレーションに用いた各実施例、各比較例、参考例の透過型スクリーンのモデルは、光制御シート及び光拡散層の２層から構成されており、フレネルレンズシートや、着色層、基板層、出光側機能層は省略している。
ここで、表１中の半値角αＨとは、ゲイン値が最大値となる透過型スクリーンのスクリーン面の位置から、画面左右方向のいずれか一方の方向において、ゲイン値が最大値の半分の値になる観察角度をいい、ゲイン値が最大値から半分の値になる半値幅の半分の角度をいう。また、ピークゲインとは、映像源から光を入射させたときの、透過型スクリーン１０に光が入射する入射面における照度と、透過型スクリーンから透過して出射側の面の前記入射面における光の入射位置に対応する位置から出射する光の輝度とから求められるゲイン（＝ｋ・輝度／照度、ｋは比例係数）の最大値を示すものである。
また、各実施例、各比較例、参考例の透過型スクリーンの光拡散層は、σ＝１５°の拡散分布の拡散を適用している。ここで、σとは、ガウス分布の標準偏差による光の拡がり角度をいう。
【００５９】
表１中のＢＳ（ブラックストライプ）率は、光制御シートの出光側の面における光吸収部と光透過部との割合を示すものであり、光吸収部の第１吸収部の下辺（参考例の場合は、光吸収部の下辺）の長さをピッチＰで割った値に１００を乗じた値である。透過型スクリーンは、このＢＳ率が高いほど、照明光等の外光をより多く吸収することができ、映像のコントラストが良好になる。
また、本シミュレーションにおいて、表１中の半値角及びピークゲインは、光制御シートの入光面に光が０°で入射した場合における透過型スクリーンの出光側の面から出射する光の輝度分布に基づいて求められたものである。
また、表１中の出光角度は、光制御シートの入光側の面から入射した光の角度が０°であるとして、その光が光吸収部の各傾斜辺（傾斜面）において全反射し、出光側の面から出光した角度を示し、出光割合は、各出光角度で出光する光の割合を示すものである。
【００６０】
各実施例及び各比較例の透過型スクリーンは、光吸収部の傾斜辺ｄの角度θ１、傾斜辺ｅの角度θ２、臨界角度θｃ、第２吸収部３２３ｂの上辺の長さｂ０の値は、それぞれ同等に形成されている。
また、各実施例及び各比較例の透過型スクリーンから出光する光の角度（出光角度）は、主に０°、２５°、３５°であり、それぞれの出光角度に対する光の割合が、表１中の「出光割合」の欄に記載されている。ここで、出光角度＝０°は、光吸収部で全反射せずにスクリーン面から出射した光であり、出光角度＝２５°は、第２吸収部で全反射してスクリーン面から出射した光であり、出光角度＝３５°は、第１吸収部で全反射してスクリーン面から出射した光である。
【００６１】
参考例の透過型スクリーンは、光吸収部の傾斜辺の角度θ１、臨界角度θｃ、光吸収部の上辺の長さｂ０の値が、各実施例及び各比較例の透過型スクリーンと同等に形成されている。また、参考例の透過型スクリーンは、光吸収部の下辺の長さが５０．７μｍであり、配列ピッチＰが９３μｍであり、ＢＳ率が５５％であり、Ｗ１が６４．４μｍであり、Ｐ１が９１．８μｍである。この参考例の透過型スクリーンの光学特性は、半値角αＨが３８°となり、ピークゲインが１．９となり、これらの値が各実施例及び各比較例の透過型スクリーンの光学特性の総合評価の基準となる。
また、参考例の透過型スクリーンから出光する光の角度は、主に０°、３５°であり、そのそれぞれの角度から出光する光の割合は、０°が４６％、３５°が５０％である。ここで、出光角度＝０°は、光吸収部で全反射せずにスクリーン面から出射した光であり、出光角度＝３５°は、光吸収部で全反射してスクリーン面から出射した光である。
【００６２】
比較例１の透過型スクリーンは、光吸収部の高さｈ１が４０μｍであり、高さｈ２が８０μｍであり、第１吸収部３２３ａの下辺の長さが４２μｍであり、配列ピッチＰが７４μｍであり、ＢＳ率が５７％であり、Ｗ１が３２．７μｍであり、Ｗ２が４９．０μｍであり、Ｐ１が５５．７μｍであり、Ｐ２が７２μｍとなる。この透過型スクリーンから出光する光の割合は、０°が４３％であり、２５°が３０％であり、３５°が２１％であり、光吸収部で全反射する光の割合（５１％）が、参考例の透過型スクリーン（５０％）とほぼ同等であった。また、この透過型スクリーンの光学特性は、半値角αＨが３４°となり、ピークゲインが２．０となり、参考例の透過型スクリーンに比してピークゲインが同等であったが、半値角αＨが低くなったため、総合評価は×となった。
【００６３】
比較例２の透過型スクリーンは、光吸収部の高さｈ１が８０μｍであり、高さｈ２が４０μｍであり、第１吸収部３２３ａの下辺の長さが４６．３μｍであり、配列ピッチＰが８５μｍであり、ＢＳ率が５４％であり、Ｗ１が４８．６μｍであり、Ｗ２が４９．０μｍであり、Ｐ１が７３．７μｍであり、Ｐ２が７４．２μｍとなる。この透過型スクリーンから出光する光の割合は、０°が４６％であり、２５°が１３％であり、３５°が３７％であり、光吸収部で全反射する光の割合（５０％）が、参考例の透過型スクリーン（５０％）とほぼ同等であった。また、この透過型スクリーンの光学特性は、半値角αＨが３５°となり、ピークゲインが２．０となり、参考例の透過型スクリーンに比してピークゲインが同等であったが、半値角αＨが低くなったため、総合評価は×となった。
【００６４】
一方、実施例１の透過型スクリーンは、光吸収部の高さｈ１が１００μｍであり、高さｈ２が２０μｍであり、第１吸収部３２３ａの下辺の長さが４８．５μｍであり、配列ピッチＰが８４μｍであり、ＢＳ率が５８％であり、Ｗ１が５６．５μｍであり、Ｗ２が４９．０μｍであり、Ｐ１が８２．７μｍであり、Ｐ２が７５．３μｍとなる。この透過型スクリーンから出光する光の割合は、０°が４２％であり、２５°が７％であり、３５°が４６％であり、光吸収部で全反射する光の割合（５３％）が、参考例の透過型スクリーン（５０％）に比して大きい。また、この透過型スクリーンの光学特性は、半値角αＨが４１°となり、ピークゲインが１．８となり、参考例の透過型スクリーンに比してピークゲインが同等であったが、半値角αＨが向上し、また、ＢＳ率が参考例に比して高くなり外光吸収率が高まりコントラストが向上するため、総合評価は◎となった。
【００６５】
また、実施例２の透過型スクリーンは、光吸収部の高さｈ１が８０μｍであり、高さｈ２が４０μｍであり、第１吸収部３２３ａの下辺の長さが４６．３μｍであり、配列ピッチＰが７６μｍであり、ＢＳ率が６１％であり、Ｗ１が４８．６μｍであり、Ｗ２が４９．０μｍであり、Ｐ１が７３．７μｍであり、Ｐ２が７４．２μｍとなる。この透過型スクリーンから出光する光の割合は、０°が３９％であり、２５°が１５％であり、３５°が４１％であり、光吸収部で全反射する光の割合（５６％）が、参考例の透過型スクリーン（５０％）に比して大きい。また、この透過型スクリーンの光学特性は、半値角αＨが４３°となり、ピークゲインが１．８となり、参考例の透過型スクリーンに比してピークゲインが同等であったが、半値角αＨが向上し、また、ＢＳ率が参考例に比して高くなり外光吸収率が高まりコントラストが向上するため、総合評価は◎となった。
【００６６】
さらに、実施例３の透過型スクリーンは、光吸収部の高さｈ１が６０μｍであり、高さｈ２が６０μｍであり、第１吸収部３２３ａの下辺の長さが４４．２μｍであり、配列ピッチＰが７５μｍであり、ＢＳ率が５９％であり、Ｗ１が４０．６μｍであり、Ｗ２が４９．０μｍであり、Ｐ１が６４．７μｍであり、Ｐ２が７３．１μｍとなる。この透過型スクリーンから出光する光の割合は、０°が４１％であり、２５°が２２％であり、３５°が３１％であり、光吸収部で全反射する光の割合（５３％）が、参考例の透過型スクリーン（５０％）に比して大きい。また、この透過型スクリーンの光学特性は、半値角αＨが３７°となり、ピークゲインが１．９となり、参考例の透過型スクリーンに比してピークゲインが同等であり、半値角αＨも同等であるが、ＢＳ率が参考例に比して高くなり外光吸収率が高まりコントラストが向上するため、総合評価は○となった。
【００６７】
また、実施例４の透過型スクリーンは、光吸収部の高さｈ１が８０μｍであり、高さｈ２が４０μｍであり、第１吸収部３２３ａの下辺の長さが４６．３μｍであり、配列ピッチＰが８２μｍであり、ＢＳ率が５６％であり、Ｗ１が４８．６μｍであり、Ｗ２が４９．０μｍであり、Ｐ１が７３．７μｍであり、Ｐ２が７４．２μｍとなる。この透過型スクリーンから出光する光の割合は、０°が４３％であり、２５°が１４％であり、３５°が３８％であり、光吸収部で全反射する光の割合（５２％）が、参考例の透過型スクリーン（５０％）に比して大きい。また、この透過型スクリーンの光学特性は、半値角αＨが３７°となり、ピークゲインが１．９となり、参考例の透過型スクリーンに比してピークゲインが同等であり、半値角αＨも同等であるが、ＢＳ率が参考例に比して高くなり外光吸収率が高まりコントラストが向上するため、総合評価は○となった。
【００６８】
ここで、比較例１の透過型スクリーンは、Ｗ１／Ｗ２の値が０．６７であり、Ｐ／Ｐｍａｘの値が１．０３であるため、上述の式（１）（１＜Ｐ／Ｐｍａｘ≦１．１）は満たすが、式（２）（Ｗ１／Ｗ２≧０．８３）は満たさない。
また、比較例２の透過型スクリーンは、Ｗ１／Ｗ２の値が０．９９であり、Ｐ／Ｐｍａｘの値が１．１５であるため、上述の式（２）は満たすが、式（１）は満たさない。
これに対して、実施例１の透過型スクリーンは、Ｗ１／Ｗ２の値が１．１５であり、Ｐ／Ｐｍａｘの値が１．０２であり、実施例２の透過型スクリーンは、Ｗ１／Ｗ２の値が０．９９であり、Ｐ／Ｐｍａｘの値が１．０２であり、実施例３の透過型スクリーンは、Ｗ１／Ｗ２の値が０．８３であり、Ｐ／Ｐｍａｘの値が１．０３であり、実施例４の透過型スクリーンは、Ｗ１／Ｗ２の値が０．９９であり、Ｐ／Ｐｍａｘの値が１．０９であるので、いずれも上述の式（１）及び式（２）は満たす。
【００６９】
以上より、上述の式（１）及び式（２）を満たすことによって、総合評価が◎又は○になり、光制御シートの光学特性が、参考例の透過型スクリーンの光制御シートの光学特性と同等又はそれ以上になることが確認された。一方、上述の式（１）又は式（２）のいずれかを満たさない場合、総合評価が×になり、比較例の透過型スクリーンのように、視野角が、参考例の透過型スクリーンの視野角よりも狭くなってしまうことが確認された。
【００７０】
（第２実施形態）
次に、本発明の第２実施形態について説明する。
図６は、第２実施形態の光制御シートを説明する図であり、図５（ａ）に対応する図である。
なお、以下の説明及び図面において、前述した第１実施形態と同様の機能を果たす部分には、同一の符号又は末尾に同一の符号を付して、重複する説明を適宜省略する。
【００７１】
本実施形態の光制御シート３２は、光吸収部が、第１吸収部、第２吸収部及び第３吸収部から構成されている点で、上述の第１実施形態と相違する。
光吸収部３２３は、図６に示すように、第１吸収部３２３ａ、第２吸収部３２３ｂ及び第３吸収部３２３ｃから構成されており、出光側から順に第１吸収部３２３ａ、第２吸収部３２３ｂ、第３吸収部３２３ｃが積層されている。
この第１吸収部３２３ａ、第２吸収部３２３ｂ及び第３吸収部３２３ｃは、光吸収部３２３の配列方向（画面左右方向）に平行であって透過型スクリーン１０の厚み方向に平行な断面における断面形状が、それぞれ、出光側（観察者側）の辺を下底、入光側（光源側）の辺を上底とし、光の入光側から出光側に向けて幅が広くなる等脚台形状に形成されている。
また、第１吸収部３２３ａ、第２吸収部３２３ｂ及び第３吸収部３２３ｃは、第２吸収部３２３ｂの出光側の辺が、第１吸収部３２３ａの入光側の辺と同じ長さに形成され、これらの辺が互いに完全に重なるよう配置され、また、第３吸収部３２３ｃの出光側の辺が、第２吸収部３２３ｂの入光側の辺と同じ長さに形成され、これらの辺が互いに完全に重なるよう配置されている。
【００７２】
光透過部３２２は、出光側に凸となる柱状の各柱部間の形状が、上述の光吸収部３２３の３段積層させた第１吸収部３２３ａ、第２吸収部３２３ｂ及び第３吸収部３２３ｃに対応する形状に形成されている。
【００７３】
ここで、図６に示す断面において、第１吸収部３２３ａの等脚台形状の高さ（厚み方向の寸法）をｈ１とし、
第１吸収部３２３ａの等脚台形状の出光側の辺及び入光側の辺間に形成される傾斜辺ｄと、厚み方向に平行な直線とのなす角度をθ１［°］とし、
第２吸収部３２３ｂの等脚台形状の高さ（厚み方向の寸法）をｈ２とし、
第２吸収部３２３ｂの等脚台形状の出光側の辺及び入光側の辺間に形成される傾斜辺ｅと、厚み方向に平行な直線とのなす角度をθ２［°］とし、
第３吸収部３２３ｃの等脚台形状の高さ（厚み方向の寸法）をｈ３とし、
第３吸収部３２３ｃの等脚台形状の出光側の辺及び入光側の辺間に形成される傾斜辺ｆと、厚み方向に平行な直線とのなす角度をθ３［°］とし、
第３吸収部３２３ｃの等脚台形状の入光側の辺（上辺）の長さをｂ０とし、
第１吸収部３２３ａ、第２吸収部３２３ｂ、第３吸収部３２３ｃの屈折率をｎａとし、
光透過部３２２の屈折率をｎｔとし、
光吸収部３２３の臨界角度をθｃ［°］とし、
光制御シート３２に入射する光のうち、第１吸収部３２３ａにおいて全反射する光の最大角度をθｔ［°］とし、
第１吸収部３２３ａにおいて全反射した光のうち、光透過部３２２の光吸収部３２３から最も離れた位置から出光する光の位置ａ（第１吸収部３２３ａと第２吸収部３２３ｂとの境界部近傍の第１吸収部３２３ａ側で全反射した光の光透過部３２２から出光する位置）と、第３吸収部３２３ｃの入光側の角部のうち、光が通過する側の角部ｃとの配列方向における距離をＷ１とし、
第２吸収部３２３ｂにおいて全反射した光のうち、光透過部３２２の光吸収部３２３から最も離れた位置から出光する光の位置ｂ（第２吸収部３２３ｂと第３吸収部３２３ｃとの境界部近傍の第２吸収部３２３ｂ側で全反射した光の光透過部３２２から出光する位置）と、第３吸収部３２３ｃの入光側の角部のうち、光が通過する側の角部ｃとの配列方向における距離をＷ２とし、
第３吸収部３２３ｃにおいて全反射した光のうち、光透過部３２２の光吸収部３２３から最も離れた位置から出光する光の位置ｇ（第３吸収部３２３ｃの前記角部ｃ近傍の傾斜辺ｆ側で全反射した光の光透過部３２２から出光する位置）と、第３吸収部３２３ｃの入光側の角部のうち、光が通過する側の角部ｃとの配列方向における距離をＷ３とし、
光吸収部３２３の配列方向における第１吸収部３２３ａ、第２吸収部３２３ｂ、第３吸収部３２３ｃの片側の傾斜辺ｄ、傾斜辺ｅ及び傾斜辺ｆの幅寸法と、第３吸収部３２３ｃの入光側の辺（上辺）の長さｂ０との和をＳとし、
光吸収部３２３の配列方向における配列ピッチをＰとし、
Ｐ１＝Ｗ１＋Ｓとし、Ｐ２＝Ｗ２＋Ｓとし、Ｐ３＝Ｗ３＋Ｓとし、Ｐ１、Ｐ２及びＰ３のうち最大値をＰｍａｘとしたときに、
以下の式（３）、式（４）及び式（５）を満たす必要がある。
【００７４】
式（３）    １．０＜Ｐ／Ｐｍａｘ≦１．１、
式（４）    Ｗ１／Ｗ２≧０．８３
式（５）    Ｗ１／Ｗ３≧０．８３
【００７５】
なお、θｃ＝ａｒｃｓｉｎ（ｎａ／ｎｔ）であり、
θｔ＝９０−θ１−θｃであり、
Ｗ１＝ｈ１・ｔａｎ（２θ１＋θｔ）＋ｈ２・ｔａｎθ２＋ｈ３・ｔａｎθ３であり、
Ｗ２＝（ｈ１＋ｈ２）・ｔａｎ（２θ２＋θｔ）＋ｈ３・ｔａｎθ３であり、
Ｗ３＝（ｈ１＋ｈ２＋ｈ３）・ｔａｎ（２θ３＋θｔ）であり、
Ｓ＝ｂ０＋ｈ１・ｔａｎθ１＋ｈ２・ｔａｎθ２＋ｈ３・ｔａｎθ３である。
【００７６】
上述の式（３）、式（４）及び式（５）を満たすことによって、光制御シート３２は、光源側から入射した光の多くを、第１吸収部３２３ａ、第２吸収部３２３ｂ、第３吸収部３２３ｃによって全反射させて出光させるとともに、光吸収部３２３において全反射せず直接観察者側に出光してしまう光の量を極力減らすことができる。これにより、透過型スクリーン１０が湾曲された場合においても、第１実施形態の場合に比してさらに映像の視野角を広げることができる。また、これに伴い光拡散層３３の拡散効果を低減させることができ、光拡散層３３に使用する材料や構成の自由度を向上させることができる。
【００７７】
（第３実施形態）
次に、本発明の第３実施形態について説明する。
図７は、第３実施形態の光制御シートを説明する図であり、図５（ａ）に対応する図である。
なお、以下の説明及び図面において、前述した第１実施形態と同様の機能を果たす部分には、同一の符号又は末尾に同一の符号を付して、重複する説明を適宜省略する。
【００７８】
本実施形態の光制御シート３２は、光吸収部３２３が１段の等脚台形状に形成されている点で、上述の第１実施形態と相違する。
光吸収部３２３は、図７に示すように、その配列方向（画面左右方向）に平行であって透過型スクリーン１０の厚み方向に平行な断面における断面形状が、出光側（観察者側）の辺を下底、入光側（光源側）の辺を上底とし、光の入光側から出光側に向けて幅が広くなる等脚台形状に形成されている。
光透過部３２２は、出光側に凸となる柱状の各柱部間の形状が、上述の光吸収部３２３の等脚台形状に対応する形状に形成されている。
【００７９】
ここで、図７に示す断面において、光吸収部３２３の等脚台形状の高さ（厚み方向の寸法）をｈ１とし、
光吸収部３２３の等脚台形状の出光側の辺（下辺）及び入光側の辺（上辺）間に形成される傾斜辺ｄと、厚み方向に平行な直線とのなす角度をθ１［°］とし、
光吸収部３２３の等脚台形状の入光側の辺（上辺）の長さをｂ０とし、
光吸収部３２３の屈折率をｎａとし、
光透過部３２２の屈折率をｎｔとし、
光吸収部３２３の臨界角度をθｃ［°］とし、
光制御シート３２に入射する光のうち、第１吸収部３２３ａにおいて全反射する光の最大角度をθｔ［°］とし、
光吸収部３２３の入光側の角部のうち、光が通過する側の角部ｃと、光吸収部３２３において全反射した光のうち、光透過部３２２の光吸収部３２３から最も離れた位置から出光する光の位置ａ（光吸収部３２３の前記角部ｃ近傍の傾斜辺ｄ側で全反射した光の光透過部３２２から出光する位置）との配列方向における距離をＷ１とし、
配列方向における光吸収部３２３の片側の傾斜辺ｄの幅寸法と、光吸収部３２３の入光側の辺（上辺）の長さｂ０との和をＳとし、
光吸収部３２３の配列方向における配列ピッチをＰとし、
Ｐ１＝Ｗ１＋Ｓとしたときに、
以下の式（６）を満たす必要がある。
【００８０】
式（６）    １．０＜Ｐ／Ｐ１≦１．１、
【００８１】
なお、θｃ＝ａｒｃｓｉｎ（ｎａ／ｎｔ）であり、
θｔ＝９０−θ１−θｃであり、
Ｗ１＝ｈ１・ｔａｎ（２θ１＋θｔ）であり、
Ｓ＝ｂ０＋ｈ１・ｔａｎθ１である。
【００８２】
上述の式（６）を満たすことによって、光制御シート３２は、上述の第１実施形態や第２実施形態のように、２段、３段の等脚台形状の積層形態でなく、より単純な１段の等脚台形状であっても、湾曲させた場合に、映像の視野角を広げることができる。
【００８３】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００８４】
（変形形態）
（１）本実施形態において、光制御シート３２は、光透過部３２２及び光吸収部３２３が画面上下方向に延在し、画面左右方向に交互に配列される例を示したが、これに限定されるものでない。例えば、光透過部３２２及び光吸収部３２３は、画面左右方向に延在し、画面上下方向に交互に配列されるようにしてもよい。この場合、光制御シートは、画面上下方向の視野角を広くすることができる。
（２）本実施形態において、光制御シート３２は、１層である例を示したが、これに限らず、例えば、光透過部３２２及び光吸収部３２３が画面左右方向に延在し、画面上下方向に配列された第２の光制御シートをさらに備える形態としてもよく、画面左右方向の視野角だけでなく画面左右方向の視野角も向上させることができる。
【００８５】
（３）本実施形態では、透過型スクリーン１０は、光源側（入光側）に凸となる湾曲形状に形成される例を示したが、これに限定されるものでない。透過型スクリーンは、例えば、平板状に形成されるようにしてもよく、また、観察者側（出光側）に凸となる湾曲形状に形成されるようにしてもよい。さらに、フレネルレンズシートが平板状であって、積層体が若干湾曲し、透過型スクリーン全体としては湾曲形状に形成されるようにしてもよい。
（４）本実施形態において、積層体３０は、光源側（入光側）から順に、光制御シート３２、接合層３６、光拡散層３３、着色層３４、接合層３６、基板層３１、出光側機能層３５を備える例を示したが、これに限らず、その層構成等は、所望する光学性能に応じて適宜変更してよい。
【００８６】
（５）本実施形態において、光源部７０は、背面投射型表示装置１の使用状態において、透過型スクリーン１０に対して、図１に示すように、鉛直方向下側から映像光を投射する例を挙げて説明したが、これに限らず、例えば、透過型スクリーン１０に対して鉛直方向上側から映像光を投射する形態としてもよい。この場合、フレネルレンズ形状の光学的中心Ｆは、フレネルレンズシートの幾何学的中心Ｃ２に対して上側に配置される必要がある。
【００８７】
（６）本実施形態において、出光側機能層３５を設ける例を示したが、これに限らず、基板層３１が十分な耐擦傷性等を有するのであれば、出光側機能層３５を設けない形態としてもよい。このような形態とすることにより、生産工程の短縮化、生産コストの低減等の効果を奏することができる。
【００８８】
（７）本実施形態において、着色層３４は、光拡散層３３と共に共押し出し成形され、光拡散層３３の観察者側に配置される例を示したが、これに限らず、例えば、着色層３４は、単層で押し出し成形され、光制御シート３２と基板層３１との間や、光拡散層３３と光制御シート３２との間等に設けてもよい。
本実施形態において、光拡散層３３と着色層３４とを備える例を示したが、これに限らず、光拡散層３３に光吸収材や着色剤を含有させた形態とし、着色層３４を設けない形態としてもよい。
また、所望する光学特性等によっては、光拡散層３３に加えて、着色層３４が光拡散材を含有する形態としてもよい。
【００８９】
（８）本実施形態において、接合層３６は、着色剤や拡散材を含有していない例を挙げて説明したが、これに限らず、所望する光学性能に合わせて、拡散材や着色剤、紫外線吸収剤等を添加してもよい。
【００９０】
なお、本実施形態及び変形形態は、適宜組み合わせて用いることもできるが、詳細な説明は省略する。また、本発明は以上説明した実施形態によって限定されることはない。
【符号の説明】
【００９１】
１    背面投射型表示装置
１０    透過型スクリーン
２０    フレネルレンズシート
２１    フレネル基材層
２２    フレネルレンズ層
３０    積層体
３１    基板層
３２    光制御シート
３２１    基材部
３２２    光透過部
３２３    光吸収部
３２３ａ    第１吸収部
３２３ｂ    第２吸収部
３２３ｃ    第３吸収部
３３    光拡散層
３４    着色層
３５    出光側機能層
７０    光源部
【図１】
2016038432.tif 000004
【図２】
2016038432.tif 000005
【図３】
2016038432.tif 000006
【図４】
2016038432.tif 000007
【図５】
2016038432.tif 000008
【図６】
2016038432.tif 000009
【図７】
2016038432.tif 000010